(57)【要約】【課題】  作業時に手を汚さない、保液部材を有する手袋を提案する。【解決手段】  本発明は、防水性の素材からなる手袋本体２で形成した手袋であって、表面に、保液部材３、１０３を有するものである。本発明によれば、使用者が保液部材を有する手袋１、１０１、２１、３１を使用する際には、液体に触れることなく保液部材を有する手袋１、１０１、２１、３１が装着可能で、手を汚すことなく保液部材を所望の作業面に当て、所望の作業が出来る。さらに、防水性の素材からなる手袋本体２が密封状空間Ｓ、Ｓ'を形成し、該密封状空間Ｓ、Ｓ'が保液部材３を内部に含むものであることが好ましい。【選択図】        図１
2007023397.tif 000002
【特許請求の範囲】
【請求項１】
手袋本体を防水性の素材で形成した手袋において、前記手袋本体の表面に、あらかじめ液体を含んだ保液部材を備えることを特徴とする手袋。
【請求項２】
手袋本体を防水性の素材で形成した手袋において、前記手袋本体の表面に保液部材を備え、前記手袋本体が密封状空間を形成し、該密封状空間が前記保液部材を内部に含むことを特徴とする手袋。
【請求項３】
手袋本体を防水性の素材で形成した手袋において、前記手袋本体の表面に保液部材を備え、前記手袋本体に、前記保液部材を覆う部材を着脱自在に取付ける取付手段を有することを特徴とする手袋。
【請求項４】
前記保液部材が、あらかじめ液体を含んでいることを特徴とする請求項２または３記載の手袋。
【請求項５】
前記手袋本体が５本の指対応部分を備えることを特徴とする請求項１から４のいずれか１項に記載の手袋。
【発明の詳細な説明】
【技術分野】
【０００１】
この発明は手袋に関し、特に保液部材を有する手袋に適用して好適なものである。
【背景技術】
【０００２】
消毒液、洗剤あるいはワックス等を用いた作業や、素手で触りたくない汚物を作業対象に含む作業では、手を消毒液、洗剤、ワックス等の液体あるいは汚れから保護するため手袋を用いるのが一般的である。この場合、手袋と雑巾、スポンジ、ナプキン等の作業用部材とは別々のものである。手袋にスポンジを取り付けた例は有るが（例えば、特許文献１、２参照）、この場合でも、ワックス等の液体は使用時に後から加える構造となっている。
【特許文献１】特開平２−２６５５２１号公報
【特許文献２】特開平７−３０３５８８号公報
【発明の開示】
【発明が解決しようとする課題】
【０００３】
ところが、作業時、手袋と作業用部材（雑巾、スポンジ、ナプキン等）が別々の場合は、作業用部材に必要な液体を適量浸透させることが必要であり、かつ手をこれらの液体で汚さないためには、手袋を装着してから該作業を行うことが必要となり、煩雑である。また、必要な液体が、洗剤など人体に影響がある液体の場合は、一連の作業中、手その他の皮膚への液体の付着に注意する必要が生じていた。
【０００４】
そこで、本発明は以上の点を考慮してなされたもので、手を汚さずに各種作業を行うことができる保液部材を有する手袋を提案するものである。
【課題を解決するための手段】
【０００５】
本発明の請求項１では、手袋本体を防水性の素材で形成した手袋において、前記手袋本体の表面に、あらかじめ液体を含んだ保液部材を有するものである。
【０００６】
本発明の請求項２では、手袋本体を防水性の素材で形成した手袋において、前記手袋本体の表面に保液部材を備え、前記手袋本体が密封状空間を形成し、該密封状空間が前記保液部材を内部に含むものである。
【０００７】
本発明の請求項３では、手袋本体を防水性の素材で形成した手袋において、前記手袋本体の表面に保液部材を備え、前記手袋本体に、前記保液部材を覆う部材を着脱自在に取付ける取付手段を有するものである。
【０００８】
本発明の請求項４では、前記保液部材が、あらかじめ液体を含んでいるものである。
【０００９】
本発明の請求項５では、前記手袋本体が５本の指対応部分を備えるものである。
【発明の効果】
【００１０】
本発明の請求項１によれば、使用者が保液部材を有する手袋を使用する際には、液体に触れることなく保液部材を有する手袋が装着可能で、手を汚すことなく保液部材を所望の作業面に当て、所望の作業が出来る。
【００１１】
本発明の請求項２によれば、防水性の素材からなる手袋本体で、保液部材を内部に含む密封状空間を形成したことにより、保液部材を衛生的に保管することができる。また、この密封状空間によって保液部材が外部と触れることがなくなるため、手袋をコンパクトに重ねて保管できることになり便利である。
【００１２】
本発明の請求項３によれば、手袋本体に、保液部材を覆う部材を着脱自在に取付ける取付手段を有したことにより、保液部材を覆う部材を取付けた場合は、保液部材を衛生的に保管することができる。またこの場合、覆う部材によって保液部材が外部と触れることがなくなるため、手袋を重ねて保管できることになり便利である。
【００１３】
本発明の請求項４によれば、前記保液部材が、あらかじめ液体を含んでいる場合でも、防水性の素材からなる手袋本体で保液部材を内部に含む密封状空間を形成したことにより、または、手袋本体に保液部材を覆う部材を着脱自在に取付ける取付手段を有したことにより、保液部材の乾燥を抑制することができる。
【００１４】
本発明の請求項５によれば、５本の指対応部分を備えたことにより、作業面の細かな部分や凹凸に対応して、手袋の中で５本の指を自由に動かすことが可能であり、きめ細かい作業を効率よく実施することができる。
【発明を実施するための最良の形態】
【００１５】
以下、本発明における好ましい実施形態について、添付図面を参照しながら説明する。
【００１６】
先ず、図１〜図５を参照して、本発明の保液部材を有する手袋の第１の実施形態として保液部材を有する手袋の折り畳み密封構造について説明する。
【００１７】
図１において、１は全体として保液部材を有する手袋を示し、当該保液部材を有する手袋１は、防水性の素材からなる手袋本体２と、当該防水性の素材からなる手袋本体２表面に設けられた保液部材３と、手の挿入口４の周辺の折り畳み密封時に接着される接着部分５（図１では、まだ接着されていない）とからなる。図２は、図１のI−I断面図である。防水性の素材からなる手袋本体２は、手の挿入口４のある一端から他端にゆくに従って次第に幅狭となる袋状の形状を有する。
【００１８】
防水性の素材・保液部材の材質は特に限定されないが、例えば、防水性の素材としては、ゴム材、ポリエチレン、ポリプロピレンまたはポリエチレンテレフタラート等、保液部材としては、スポンジ、ミトン、タオル、または各種材料からなる繊維等を用いることができる。
【００１９】
保液部材３は、保液部材を有する手袋１の用途に対応した液体６を含んでいる。例えば、当該保液部材を有する手袋１の用途が机やトイレの洗浄である場合は、保液部材３に含まれる液体６は洗剤または消毒液であり、当該保液部材を有する手袋１の用途が車や靴を磨くことである場合は、保液部材３に含まれる液体６はワックスであり、当該保液部材を有する手袋１の用途が化粧や化粧落としである場合は、保液部材３に含まれる液体６は化粧液、化粧水あるいはクレンジングオイルである。
【００２０】
保液部材を有する手袋１の手の挿入口４側の表面が内側になるように反転して折り返すことにより、その折り返し位置と手の挿入口４の接着部分５との間で内部に密封状空間Ｓを形成し、この密封状空間Ｓに前記保液部材３を収納する方法を、図３に示す。
【００２１】
まず、保液部材を有する手袋１の長手方向に垂直な反転基準線A-A'に沿って、該反転基準線A-A'と接着部分５の間の保液部材を有する手袋１の内面が全て外側を向くように反転させる（図３．a→図３．b）。この際反転基準線A-A'は、保液部材を有する手袋１の長手方向概ね２／５程度の位置にあることが好ましい。
【００２２】
次に、保液部材を有する手袋１の長手方向に垂直な折り返し線B-B'に沿って、該折り返し線B-B'と保液部材を有する手袋１の先端部分７の間の部分を、保液部材３が重なる方向に折り畳む（図３．b→図３．c）。この際折り返し線B-B'は、保液部材を有する手袋１の長手方向、先端部分７と反転基準線A-A'の間の概ね１／２程度の位置にあることが好ましい。
【００２３】
最後に、対向する接着部分５を接着する。図４は、図３．３のII−II断面図である（本図中では、接着部分５はまだ接着されていない）。保液部材を有する手袋１の防水性の素材からなる手袋本体２が、保液部材３を内側に含んだ密封状空間Ｓを形成することがわかる。
【００２４】
接着部分５は、防水性の素材からなる手袋本体２と一体に設けられたもので、対向面の一方側に形成された凹部と、他方側に形成され、当該凹部と係脱可能な凸部とからなり、これら凹部と凸部で密封状空間Ｓを形成する。
【００２５】
封止部分たる接着部分５は繰り返し接着（密封）・剥離（開封）できるものでもよいし、１回だけ接着剥離できるものでもよい。
【００２６】
かくして、保液部材３を内部に含む密封状空間Ｓが形成され得る。防水性の素材からなる手袋本体２で、保液部材３を内部に含む密封状空間Ｓを形成したことにより、保液部材３の乾燥を抑制することができ、この密封状空間Ｓによって保液部材３が外部と触れることがなくなるため、手袋をコンパクトに重ねて保管できることになり便利である。
【００２７】
以上の構成において、保液部材を有する手袋１を使用する場合、使用者は上述した保液部材３を内部に含んだ密封状空間Ｓを形成する方法と逆の手順を取ることが必要となる。
【００２８】
まず、使用者は接着されている接着部分５を剥離させ、密封状空間Ｓを開封する。次に、折り畳まれている前記折り返し線B-B'と保液部材を有する手袋１の先端部分７の間の部分を伸ばす（伸ばした状態が図３．b）。この状態で、使用者は保液部材を有する手袋１に手８を挿入し、指先を保液部材を有する手袋１の先端部分７の近くまで近かずけることが出来る。最後に、反転している前記反転基準線A-A'と接着部分５の間の部分の反転を直すことで、使用者は、保液部材を有する手袋１を装着することができる。図５は、保液部材を有する手袋１を使用者の手８に装着した状態を示す斜視図である。
【００２９】
以上の手順によれば、使用者は、保液部材３に直接手を触れることなく保液部材を有する手袋１の装着が可能である。よって、保液部材３に含まれる液体６が、洗剤、消毒液、またはワックス等肌荒れかぶれ等の原因になる液体であった場合でも、肌荒れかぶれ等の心配がない。
【００３０】
また、保液部材を有する手袋１保管時は、保液部材３が保液部材を有する手袋１以外のものと接触することはないので、保液部材３に含まれる液体６によって、保管場所周辺が汚れる心配もなく、保液部材を有する手袋１を幾重にも重ねて収納が可能なことにより、大きな収納場所を要しないメリットがあり、旅行等の携帯にも便利である。
【００３１】
さらに、保液部材を有する手袋１の装着を使用の直前とすることで、使用の直前まで保液部材３を内側に含んだ密封状空間Ｓを維持することが可能なので、保液部材３の乾燥を抑制することも可能である。
【００３２】
図６に、用途が机やトイレの洗浄である場合の保液部材を有する手袋１の使用例を示す。この場合の、保液部材３に含まれる液体６は洗剤または消毒液である。洗剤または消毒液は、あらかじめ作業の目的に応じた適量を保液部材３全面に均一に浸透させておくことが可能であるので、使用者は洗剤または消毒液の量を調整する煩雑な作業から開放される。また、使用する際保液部材を有する手袋１中の手８は、防水性の素材からなる手袋本体２によって保護されているので、使用者は、洗剤または消毒液による肌荒れやかぶれ、被洗浄物からの汚れを心配することなく作業することが可能である。
【００３３】
図７に、用途が車や靴を磨くことである場合の保液部材を有する手袋１の使用例を示す。保液部材３に含まれる液体６はワックスである。ワックスは、あらかじめ作業の目的に応じた適量を保液部材３全面に均一に浸透させておくことが可能であるので、使用者はワックスの量を調整する煩雑な作業から開放される。ワックスの量を保液部材３、例えばスポンジ、に均一に浸透させておくことで、ワックスの不均一に起因したワックス掛けムラも対策が可能である。また、使用する際保液部材を有する手袋１中の手８は、防水性の素材からなる手袋本体２によって保護されているので、使用者は、ワックスによる肌荒れやかぶれ、被洗浄物からの汚れを心配することなく作業することが可能である。
【００３４】
図８に、用途が化粧や化粧落としある場合の保液部材を有する手袋１の使用例を示す。保液部材３に含まれる液体６は化粧液、化粧水あるいはクレンジングオイルである。使用する際保液部材を有する手袋１中の手８は、防水性の素材からなる手袋本体２によって保護されているので、使用後、手を洗わなくても手がべとべとすることがない。また、保液部材３が保液部材を有する手袋１以外のものと接触することはないので、保液部材３に含まれる化粧液、化粧水あるいはクレンジングオイルによって保管場所周辺が汚れる心配もなく、携帯する場合に特に便利である。
【００３５】
その他、保液部材を有する手袋１は盆栽や観葉植物の葉の虫やほこりを除去すること等にも使用可能である。
【００３６】
次に、図３との対応部分に同一符号を付して示した図９と、図４との対応部分に同一符号を付して示した図１０とを参照して、本発明の保液部材を有する手袋の第２の実施形態について説明する。第２の実施形態の構成は、保液部材１０３が、保液部材を有する手袋１０１の用途に対応した液体をあらかじめ含んでいない点以外は、第１の実施形態と同様である。
【００３７】
保液部材を有する手袋１０１では、保液部材１０３を内部に含む密封状空間Ｓ'が形成されていることにより、該密封状空間Ｓ'を開封するまで、保液部材１０３を外部から遮断することができ衛生的である。また、この密封状空間Ｓ'によって保液部材１０３が外部と触れることがなくなるため、手袋をコンパクトに重ねて保管できることになり便利である。
【００３８】
本構成において、保液部材を有する手袋１０１を使用する場合、使用者は上述した第１の実施形態と同様の手順で保液部材を有する手袋１０１を装着し、使用の直前に液体を保液部材１０３に浸透させることができる。保液部材１０３に浸透させる液体６が、洗剤、消毒液、またはワックス等肌荒れかぶれ等の原因になる液体であった場合でも、肌荒れかぶれ等の心配がないことは、第１の実施形態と同様である。
【００３９】
次に、図１１〜図１２を参照して、本発明の保液部材を有する手袋の第３の実施形態として保液部材３を覆う部材２５を有する保液部材を有する手袋２１の構造について説明する。
【００４０】
図１１において、２１は全体として保液部材を有する手袋を示し、当該保液部材を有する手袋２１は、防水性の素材からなる手袋本体２と、当該防水性の素材からなる手袋本体２の表面に設けられた保液部材３と、保液部材３を覆って設けられる覆う部材２５とを備え、その覆う部材２５は防水性の素材からなる手袋本体２に着脱自在に取付けられる。図１２は、図１１のIII−III断面図である。図１１では、覆う部材２５は、左側部分２５aと右側部分２５bから構成されており、各々、保液部材３の周辺の防水性の素材からなる手袋本体２に、例えば、面ファスナーや両面テープなどの取付手段Ｔにより着脱自在に取付けられている。また、覆う部材２５には、補助的な取付手段として防水性の素材からなる手袋本体２に再接着可能なタブテープ２７が配されている。
【００４１】
保液部材３が、保液部材を有する手袋２１の用途に対応した液体６を含んでいる点は、第１の実施形態の場合と同様である。
【００４２】
覆う部材２５で保液部材３を覆ったことにより、保液部材３の乾燥を抑制することができ、この覆う部材２５によって保液部材３が外部と触れることがなくなるため、手袋をコンパクトに重ねて保管できることになり便利である。
【００４３】
以上の構成において、保液部材を有する手袋２１を使用する場合、使用者は、保液部材を有する手袋２１を使用者の手８に装着した後、タブテープ２７を持って、上側に引くことで、覆う部材２５a、２５bを順次取外すことができる。
【００４４】
以上の手順によれば、使用者は、保液部材３に直接手を触れることなく保液部材を有する手袋２１の装着が可能である。よって、保液部材３に含まれる液体６が、洗剤、消毒液、またはワックス等肌荒れかぶれ等の原因になる液体であった場合でも、肌荒れかぶれ等の心配がない。
【００４５】
また、保液部材を有する手袋２１保管時は、保液部材３が保液部材を有する手袋２１以外のものと接触することはないので、保液部材３に含まれる液体６によって、保管場所周辺が汚れる心配もなく、幾重にも重ねて収納が可能なことより、大きな収納場所を要しないメリットがあり、旅行等の携帯にも便利である。
【００４６】
さらに、保液部材を有する手袋２１の覆う部材２５の取外しを使用の直前とすることで保液部材３の乾燥を抑制することも可能である。
【００４７】
以上の構成によれば、使用者が保液部材を有する手袋１、１０１、２１を使用する際には、液体に触れることなく保液部材を有する手袋１、１０１、２１が装着可能で、手を汚すことなく保液部材を所望の作業面に当て、所望の作業が出来る。
【００４８】
また、防水性の素材からなる手袋本体２で、保液部材３、１０３を内部に含む密封状空間Ｓ、Ｓ'を形成したことにより、該密封状空間Ｓ、Ｓ'を開封するまで、保液部材３、１０３を外部から遮断することができ衛生的であり、保液部材３があらかじめ液体を含んでいる場合でも保液部材３の乾燥を抑制できる。また、この密封状空間によって保液部材３、１０３が外部と触れることがなくなるため、手袋をコンパクトに重ねて保管できることになり便利である。
【００４９】
さらに、手袋表面の保液部材３を覆う部材２５を着脱自在に取付ける取付手段Ｔを有したことにより、保液部材３を覆う部材２５を取付けた場合は、保液部材３、１０３を外部から遮断することができ衛生的であり、保液部材３があらかじめ液体を含んでいる場合でも保液部材３の乾燥を抑制できる。またこの場合、覆う部材２５によって保液部材３が外部と触れることがなくなるため、手袋を重ねて保管できることになり便利である。
【００５０】
なお、本発明は、本実施形態に限定されるものではなく、本発明の要旨の範囲内で種々の変形実施が可能である。例えば、上述した第１の実施形態から第３の実施形態においては、指対応部分を有さない保液部材を有する手袋１、１０１、２１の場合について述べたが、本発明はこれに限らず、５つの指対応部分３５を有す保液部材を有する手袋３１であっても良い（図１３）。
【００５１】
５本の指対応部分３５を備えたことにより、使用者は、作業面の細かな部分や凹凸に対応して手袋の中で５本の指を自由に動かすことが可能であり、きめ細かい作業を効率よく実施することができる。
【図面の簡単な説明】
【００５２】
【図１】本発明の第１の実施形態の保液部材を有する手袋を示す斜視図である。
【図２】図１のI−I断面図である。
【図３】本発明の第１の実施形態の保液部材を有する手袋の折り畳み密封構造の例を示す斜視図である。
【図４】図３のII−II断面図である。
【図５】本発明の第１の実施形態の保液部材を有する手袋を装着した状態を示す概略図である。
【図６】本発明の第１の実施形態の保液部材を有する手袋の第１の使用例を示す概略図である。
【図７】本発明の第１の実施形態の保液部材を有する手袋の第２の使用例を示す概略図である。
【図８】本発明の第１の実施形態の保液部材を有する手袋の第３の使用例を示す概略図である。
【図９】本発明の第２の実施形態の保液部材を有する手袋の折り畳み密封構造の例を示す斜視図である。
【図１０】図９のII’−II’断面図である。
【図１１】本発明の第３の実施形態の保液部材を有する手袋を示す斜視図である。
【図１２】図１１のIII−III断面図である。
【図１３】本発明の第４の実施形態の保液部材を有する手袋を示す斜視図である。
【符号の説明】
【００５３】
１、１０１、２１、３１  手袋
２  手袋本体
３、１０３  保液部材
４  手の挿入口
５  接着部分
６  液体
７  先端部分
８  手
Ｓ、Ｓ'  密封状空間
Ｔ  取付手段
A-A'   反転基準線
B-B'   折り返し線
２５、２５a、２５b  覆う部材
２７  タブテープ
３５  指対応部分
【図１】
2007023397.tif 000003
【図２】
2007023397.tif 000004
【図３】
2007023397.tif 000005
【図４】
2007023397.tif 000006
【図５】
2007023397.tif 000007
【図６】
2007023397.tif 000008
【図７】
2007023397.tif 000009
【図８】
2007023397.tif 000010
【図９】
2007023397.tif 000011
【図１０】
2007023397.tif 000012
【図１１】
2007023397.tif 000013
【図１２】
2007023397.tif 000014
【図１３】
2007023397.tif 000015